(57)【特許請求の範囲】
【請求項１】
組立時に上下に対向するカバー及びそれらカバー間に配置されるスリーブを具備してなり、
物品を収容しない非使用時にスリーブを略板状体の形状に折り畳み可能であり、折り畳んだスリーブをカバーに重ねたときにそのスリーブの上下寸法及び左右寸法がカバーの内に収まるようなスリーブコンテナであって、
上下のカバーの周縁部に、スリーブの上端部または下端部と係合してスリーブを保定するスリーブ保定溝を形成しており、
スリーブに、組立時において上下のカバーを取り付けた状態で開閉自在となりその上端部が上方のカバーのスリーブ保定溝に係合する扉部を設けており、
組立時に扉部を当該スリーブコンテナの外側に向かって突き出すくの字の形に屈曲ないし湾曲させることが可能となるよう、扉部に略水平方向に伸びるヒンジを形成し、かつ扉部に把手を設けており、
上方のカバーの上に他のコンテナを積載したままの状態で、扉部の上端部を当該カバーのスリーブ保定溝から脱出させ、また同スリーブ保定溝に挿入することができ、
扉部が、スリーブにより構築される前壁の側部に後方から当接することにより扉部を前壁の側部に掛け止めることのできる扉ラッチと、扉部の前面側に配されかつ扉部の後面側に突出して扉ラッチが取り付けられるノブとを有しているスリーブコンテナ。
【請求項２】
組立時に上下に対向するカバー及びそれらカバー間に配置されるスリーブを具備してなり、
物品を収容しない非使用時にスリーブを略板状体の形状に折り畳み可能であり、折り畳んだスリーブをカバーに重ねたときにそのスリーブの上下寸法及び左右寸法がカバーの内に収まるようなスリーブコンテナであって、
上下のカバーの周縁部に、スリーブの上端部または下端部と係合してスリーブを保定するスリーブ保定溝を形成しており、
スリーブに、組立時において上下のカバーを取り付けた状態で開閉自在となり開いたときに上下のカバー間にある物品出入口をその上下幅の半分を超えて大きく開放することができる扉部を設けており、
組立時に扉部を当該スリーブコンテナの外側に向かって突き出すくの字の形に屈曲ないし湾曲させることが可能となるよう、扉部に略水平方向に伸びるヒンジを形成し、かつ扉部に把手を設けており、
上方のカバーの上に他のコンテナを積載したままの状態で、スリーブの上端部を上方のカバーのスリーブ保定溝から脱離させることなく、扉部の上端部を当該カバーのスリーブ保定溝から脱出させ、また同スリーブ保定溝に挿入することができるスリーブコンテナ。
【請求項３】
扉部は、当該スリーブコンテナ内の収容容積を損なうことなく開閉が可能である請求項１または２記載のスリーブコンテナ。
【請求項４】
スリーブ、扉部またはカバーに、組立時において扉部が当該スリーブコンテナの内側に向かって倒れ込まないよう扉部を支持するストッパを設けている請求項１、２または３記載のスリーブコンテナ。
【請求項５】
スリーブの下方に配置されるカバーに、当該カバーの他の部位の下縁よりも下方に突出する脚部を設け、
スリーブの上方に配置されるカバーに、前記脚部を直接に載置可能な載置面部を設けており、
物品を収容した状態で複数個を段積みすることができる請求項１、２、３または４記載のスリーブコンテナ。
【発明の詳細な説明】
【技術分野】
【０００１】
本発明は、物品収容空間を囲繞するスリーブの上下の開口端をカバーで閉塞することにより組み立てられるスリーブコンテナに関する。
【背景技術】
【０００２】
上下に対をなすカバーと、それらカバー間に配置される筒状のスリーブとを要素とするスリーブコンテナが公知である（例えば、下記特許文献１、２及び非特許文献１を参照）。物品を収容しない非使用時には、スリーブを略板状体の形状に折り畳んだ状態で、カバーとともに保管または運搬することができる。
【０００３】
この種のスリーブコンテナに対して物品を出し入れする際には、スリーブの上方のカバーを撤去して物品収容空間を開放する。スリーブコンテナの中には、スリーブの一部分が取り外し可能であったり、手前に回動する開き戸となっていたりするもの（下記非特許文献１（オーダーメイドスリーブ）を参照）が存在するが、それらの態様のコンテナにおいても、スリーブの一部分を取り外したり開き戸を開いたりするためには、一旦上方のカバーを取り外す必要がある。
【先行技術文献】
【特許文献】
【０００４】
【特許文献１】特開２０１５−１５１１３６号公報
【特許文献２】特開２００９−０９６５３７号公報
【非特許文献】
【０００５】
【非特許文献１】川上産業株式会社、“デカボ｜プチプチ初のかるいボード  川上産業のプラパール”、［ｏｎｌｉｎｅ］、平成２７年、川上産業株式会社、［平成２７年８月２０日検索］、インターネット＜ＵＲＬ：http://www.putiputi.co.jp/shohin/PPL/superdecabo.html＞
【発明の概要】
【発明が解決しようとする課題】
【０００６】
上方のカバーを取り外さない限り物品収容空間を開放できないとすると、複数個のスリーブコンテナを上下に積み上げたときに、最上段のコンテナ以外のコンテナに対して物品を出し入れすることが不可能となる。つまり、従来のスリーブコンテナは、物品の輸送のために好適に使用することはできても、定置した状態で棚、ロッカーまたは倉庫のように利用することは難しいものであった。
【０００７】
本発明は、以上の問題に初めて着目してなされたものであり、複数個を段積みして棚、ロッカーまたは倉庫のように利用できるスリーブコンテナを提供することを所期の目的としている。
【課題を解決するための手段】
【０００８】
上述した課題を解決するべく、本発明では、組立時に上下に対向するカバー及びそれらカバー間に配置されるスリーブを具備してなり、物品を収容しない非使用時にスリーブを略板状体の形状に折り畳み可能であり、折り畳んだスリーブをカバーに重ねたときにそのスリーブの上下寸法及び左右寸法がカバーの内に収まるようなスリーブコンテナであって、上下のカバーの周縁部に、スリーブの上端部または下端部と係合してスリーブを保定するスリーブ保定溝を形成しており、スリーブに、組立時において上下のカバーを取り付けた状態で開閉自在となりその上端部が上方のカバーのスリーブ保定溝に係合する扉部を設けており、組立時に扉部を当該スリーブコンテナの外側に向かって突き出すくの字の形に屈曲ないし湾曲させることが可能となるよう、扉部に略水平方向に伸びるヒンジを形成し、かつ扉部に把手を設けており、上方のカバーの上に他のコンテナを積載したままの状態で、扉部の上端部を当該カバーのスリーブ保定溝から脱出させ、また同スリーブ保定溝に挿入することができ、扉部が、スリーブにより構築される前壁の側部に後方から当接することにより扉部を前壁の側部に掛け止めることのできる扉ラッチと、扉部の前面側に配されかつ扉部の後面側に突出して扉ラッチが取り付けられるノブとを有しているスリーブコンテナを構成した。
【０００９】
並びに、本発明では、組立時に上下に対向するカバー及びそれらカバー間に配置されるスリーブを具備してなり、物品を収容しない非使用時にスリーブを略板状体の形状に折り畳み可能であり、折り畳んだスリーブをカバーに重ねたときにそのスリーブの上下寸法及び左右寸法がカバーの内に収まるようなスリーブコンテナであって、上下のカバーの周縁部に、スリーブの上端部または下端部と係合してスリーブを保定するスリーブ保定溝を形成しており、スリーブに、組立時において上下のカバーを取り付けた状態で開閉自在となり開いたときに上下のカバー間にある物品出入口をその上下幅の半分を超えて大きく開放することができる扉部を設けており、組立時に扉部を当該スリーブコンテナの外側に向かって突き出すくの字の形に屈曲ないし湾曲させることが可能となるよう、扉部に略水平方向に伸びるヒンジを形成し、かつ扉部に把手を設けており、上方のカバーの上に他のコンテナを積載したままの状態で、スリーブの上端部を上方のカバーのスリーブ保定溝から脱離させることなく、扉部の上端部を当該カバーのスリーブ保定溝から脱出させ、また同スリーブ保定溝に挿入することができるスリーブコンテナを構成した。
【００１０】
扉部は、当該スリーブコンテナ内の収容容積を損なうことなく開閉が可能であることが好ましい。そのためには、組立時に扉部が当該スリーブコンテナの外側に向かって山折り可能となるように、扉部に略水平方向に伸びるヒンジを形成しておくことが好適である。
【００１１】
スリーブ、扉部またはカバーに、組立時において扉部が当該スリーブコンテナの内側に向かって倒れ込まないよう扉部を支持するストッパを設けてあれば、不意に扉部が倒れて収容した物品と干渉したり、物品収容空間を囲繞するスリーブに間隙が形成されて物品の汚損や劣化等を招いたりすることを効果的に抑止できる。
【００１２】
スリーブの下方に配置されるカバーに、当該カバーの他の部位の下縁よりも下方に突出する脚部を設け、スリーブの上方に配置されるカバーに、前記脚部を直接に載置可能な載置面部を設けてあれば、物品を収容した状態で複数個を段積みするのに適したスリーブコンテナとなるだけでなく、カバー下にフォークリフトのフォークを差し入れるための空隙を形成することができる。
【発明の効果】
【００１３】
本発明によれば、複数個を段積みして棚、ロッカーまたは倉庫のように利用可能なスリーブコンテナを実現できる。
【図面の簡単な説明】
【００１４】
【図１】本発明の一実施形態のスリーブコンテナの斜視図。
【図２】同実施形態のスリーブコンテナの分解斜視図。
【図３】同実施形態のスリーブコンテナのスリーブの下端部及びレッグパレットを示す正断面図。
【図４】同実施形態のスリーブコンテナのトップカバーの平面図。
【図５】同実施形態のスリーブコンテナのトップカバーの底面図。
【図６】同実施形態のスリーブコンテナのスリーブの扉部の上端部及びトップカバーを示す側断面図。
【図７】同実施形態のスリーブコンテナのスリーブの扉部の上端部及びトップカバーを示す側断面図。
【図８】同実施形態のスリーブコンテナのスリーブの前壁の側部及び扉部を示す平断面図。
【図９】同実施形態のスリーブコンテナのスリーブの扉部、レッグパレット及びトップカバーを示す側端面図。
【図１０】同実施形態のスリーブコンテナを複数個段積みした状態を示す斜視図。
【図１１】同実施形態のスリーブコンテナのスリーブの周壁部を折り畳んだ状態を示す分解斜視図。
【図１２】同実施形態のスリーブコンテナの各要素を重ね合わせた状態を示す平面図。
【発明を実施するための形態】
【００１５】
本発明の一実施形態を、図面を参照して説明する。図１ないし図１２に示すように、本実施形態のスリーブコンテナＣは、全体として物品収容空間を囲繞する角筒状をなすスリーブ１と、スリーブ１の下方の開口端を閉塞して物品収容空間の底（または、床）を構築する下方のカバーたるレッグパレット２と、スリーブ１の上方の開口端を閉塞して物品収容空間の天井を構築する上方のカバーたるトップカバー３とを構成要素とする。
【００１６】
スリーブ１（の周壁部１１及び扉部１２）は、合成樹脂製のプラスチック中空板を主たる材料として作製する。図６ないし図９に示すように、このプラスチック中空板は、例えば有底円筒状の多数の中空の突起を成形したキャップシート１ａと、キャップシート１ａの内面側に接合した平板なバックシート１ｂと、キャップシート１ａの外面側に接合した平板なライナーシート１ｃとが三層構造をなす、つまりはバックシート１ｂとライナーシート１ｃとでキャップシート１ａを挟んだ構造の、軽量かつ必要十分な剛性を有したプラスチック気泡ボードである。
【００１７】
スリーブ１は、物品収容空間の後壁１１１、左右の側壁１１２及び前壁の左右両側部１１３を構築する周壁部１１と、物品収容空間の前壁の（左右両側部１１３を除く）大部分を構築するとともに物品収容空間の前方に開口する物品出入口を開閉する扉部１２とを有している。本実施形態では、スリーブ１の周壁部１１と扉部１２とが互いに独立した別体の部材となっている。
【００１８】
周壁部１１の後壁１１１と左右の側壁１１２との間、及び側壁１１２と前壁の側部１１３との間は、それぞれコーナーヒンジ１１４を介して接続している。加えて、左右の側壁１１２の前後方向の中間部位には、センターヒンジ１１５を設けている。コーナーヒンジ１１４及びセンターヒンジ１１５は、略垂直方向に沿って伸びており、スリーブ１の周壁部１１を折り曲げて畳むときの折曲稜線となり得る。即ち、図１１に示すように、周壁部１１をコーナーヒンジ１１４に沿って山折りし、かつセンターヒンジ１１５に沿って谷折りすることにより、当該周壁部１１を平面視方形状をなす略板状体の形に折り畳んでコンパクト化することが可能である。図１２に示すように、折り畳んだ周壁部１１及び扉部１２はそれぞれ、レッグパレット２やトップカバー３に重ねたときにその上下寸法及び左右寸法がこれらの内に収まるようになっている。従って、本スリーブコンテナＣの非使用時には、スリーブ１をレッグパレット２とトップカバー３との間に収納することができる。
【００１９】
レッグパレット２及びトップカバー３は、二枚の熱可塑性の合成樹脂シート素材を第一の型及び第二の型によりそれぞれ真空成形した上で相互に溶着させて接合するツインシート成形により作製する。レッグパレット２は、平面視方形状の外形をなすとともに、その四方の隅角部及び隣り合う隅角部の中間部位２１が下方に大きく凹み、他の部位の下縁と比較して下方に突出している。これら突出部分が、本スリーブコンテナＣの脚部２１となる。また、レッグパレット２における脚部２１以外の部位の下縁が、脚部２１の下面よりも浮上することとなり、当該下縁の直下にフォークリフトのフォークを差し入れるための空隙が形成される。
【００２０】
さらに、図２、図３及び図９に示すように、レッグパレット２の外周壁のすぐ内側に、レッグパレット２の外周縁に沿って前後または左右に延伸しつつ下方に凹むスリーブ保定溝２２を成形してある。スリーブ保定溝２２は、スリーブ１の周壁部１１及び扉部１２の下端部を受け容れて保定するためのものである。スリーブ保定溝２２は、当該レッグパレット２の四方の隅角部及び隣り合う隅角部の中間部位においては、脚部２１の内部空間と一体化している。そして、図３に示すように、スリーブ保定溝２２の底は、レッグパレット２の四方の隅角部及び隣り合う隅角部の中間部位２２１においてより深く（下方に）、それ以外の部位２２２においてはより浅く（上記の部位２２１よりも上方に）なっている。
【００２１】
トップカバー３は、平面視レッグパレット２の外形に略等しい方形状の外形をなす。トップカバー３の四方の隅角部及び隣り合う隅角部の中間部位には、上方に突出する比較的小形の係合突起３１を成形している。各係合突起３１は、複数個のパレットコンテナＣを段積みする場合に、上に積まれるパレットコンテナＣの各脚部２１の下面に予め形成した凹穴（図示せず）と係合して、パレットコンテナＣ同士を相対的に位置決めする。また、トップカバー３における係合突起３１の周囲の平坦面３２が、上に積まれるパレットコンテナＣの脚部２１を直接載せ置くための載置面部となる。
【００２２】
図５ないし図７及び図９に示すように、トップカバー３の下面側にあって、当該トップカバー３の外周壁のすぐ内側には、トップカバー３の外周縁に沿って前後または左右に延伸しつつ上方に凹むスリーブ保定溝３３を成形してある。スリーブ保定溝３３は、スリーブ１の周壁部１１及び扉部１２の上端部を受け容れて保定するためのものである。
【００２３】
本スリーブコンテナＣを組み立てるに際しては、折り畳まれていたスリーブ１の周壁部１１を平面視略冂字形をなすように展開し、その周壁部１１の下端部及び扉部１２の下端部をレッグパレット２のスリーブ保定溝２２に挿入して保持させることで、スリーブ１の下方にレッグパレット２を組み付ける。スリーブ１の周壁部１１の下端縁は全体的に平坦ではなく、四方の隅角部及び隣り合う隅角部の中間部位が、その他の部位よりも下方に突出した突片１１６となっている。図３に示しているように、これらの突片１１６は、スリーブ保定溝２２におけるより底の深い部位２２１、即ちレッグパレット２の脚部２１の内部空間に差し入る。周壁部１１の下端部における突片１１６以外の部位は、スリーブ保定溝２２のより底の浅い部位２２２、即ち隣り合う脚部２１の間に形成されている凹溝に差し入る。前壁の側部１１３を構築する部位の下端部もまた突片１１６となっており、脚部２１の内部空間に差し入ることとなって、スリーブ保定溝２２における底の浅い部位２２２には侵入しない。このような構造により、後壁１１１、左右の側壁１１２及び前壁の左右の側部１１３を、レッグパレット２に対して正しく位置づけることができ、前壁の側部１１３が本来あるべき位置よりも内側方にずれてしまうようなことが回避される。
【００２４】
これに対し、扉部１２の下端縁は平坦であり、周壁部１１における突片１１６以外の部位の下端縁と略同等の高さ位置にあって、スリーブ保定溝２２におけるより底の浅い部位２２２に差し入る一方、脚部２１の内部空間に入り込むことはない。
【００２５】
しかる後、スリーブ１の周壁部１１の上端部及び扉部１２の上端部をトップカバー３のスリーブ保定溝３３に挿入して保持させることで、スリーブ１の上方にトップカバー３を組み付ける。スリーブ１の周壁部１１の上端縁は全体的に略平坦であって、周壁部１１の上端縁と扉部１２の上端縁とは略同等の高さ位置にある。
【００２６】
本実施形態のスリーブコンテナＣには、スリーブ１とトップカバー３及びレッグパレット２とを脱離不能に結合するためのロック機構を実装している。トップカバー３側のロック機構の仕組みとレッグパレット２側のロック機構のそれとは基本的に同じであり、また公知でもあるので、トップカバー３側のロック機構については図示するとともに、レッグパレット２側のロック機構については図示を省いている。
【００２７】
図２、図３、図６及び図７に示すように、スリーブ１の周壁部１１及び扉部１２の上端部及び下端部には、スリーブ１を貫通する係合孔１１７、１２１を形成してある。図示例では、後壁１１１の上下端部に左右二箇所ずつ係合孔１１７を穿ち、さらには扉部１２の上下端部にも左右二箇所ずつ係合孔１２１を穿っている。後壁１１１の係合孔１１７と扉部１２の係合孔１２１とは、前後方向に沿って対向する。なお、周壁部１１及び扉部１２の下端部における係合孔１１７、１２１の形成箇所は、下方に突出する突片１１６以外の部位である。
【００２８】
他方、図３及び図５ないし図７に示すように、トップカバー３及びレッグパレット２にはそれぞれ、それらの係合孔１１７、１２１と係合するためのロック部材４を設けている。ロック部材４はその大部分がトップカバー３またはレッグパレット２に内蔵されており、前後方向に沿って略水平にスライドすることが可能となっている。ロック部材４は、トップカバー３及びレッグパレット２のそれぞれについて、前後に対をなし、かつその対が左右に一組ずつ存在している。図６及び図７に示しているように、トップカバー３側のロック部材４は後壁１１１及び扉部１２の上端部に形成した係合孔１１７、１２１に係合する。並びに、図３に示しているように、レッグパレット２側のロック部材４は後壁１１１及び扉部１２の下端部に形成した係合孔１１７、１２１に係合する。そして、後方のロック部材４は後壁１１１の係合孔１１７に係合し、前方のロック部材４は扉部１２の係合孔１２１に係合する。
【００２９】
ロック部材４には、当該ロック部材４をスライド移動させようとする者が手を掛けるための摘みとなる操作用突起４１を成形している。操作用突起４１は、トップカバー３側のロック部材４においてはその上面側から上向きに突出し、レッグパレット２側のロック部材４においてはその下面側から下向きに突出する。トップカバー３の上面には、この操作用突起４１を露出させるための貫通した長孔３４を形成している。同様に、レッグパレット２の下面にも、操作用突起を露出させるための貫通した長孔を形成してある。それらの長孔３４は、ロック部材４のスライド移動方向である前後方向に沿って拡張している。
【００３０】
加えて、トップカバー３及びレッグパレット２におけるスリーブ保定溝３３、２２の対向壁には、ロック部材４の先端部を通過させるための窓３３１を開通させている。
【００３１】
スリーブ１とトップカバー３及びレッグパレット２とを結合するためには、まず、図６に示すように、各ロック部材４をスリーブコンテナＣの外側から内側に向かってスライドさせる、即ち後方のロック部材４を前方に移動させ、かつ前方のロック部材４を後方に移動させることで、各ロック部材４の先端部をスリーブ保定溝３３、２２から退避させる。そして、既に述べた通り、スリーブ１の周壁部１１及び扉部１２の上端部及び下端部を、それぞれスリーブ保定溝３３、２２に挿入して係合させる。このとき、スリーブ１の周壁部１１及び扉部１２に形成した係合孔１１７、１２１が、スリーブ保定溝３３、２２の対向壁に形成した窓３３１と正面視または背面視重なり合う状態となる。その状態で、各ロック部材４をスリーブコンテナＣの内側から外側に向かってスライドさせる、即ち後方のロック部材４を後方に移動させ、かつ前方のロック部材４を前方に移動させれば、図７に示すように、各ロック部材４の先端部が窓３３１を介してスリーブ保定溝３３、２２内に侵入し、コンテナＣの内側から外側に向かってスリーブ１の係合孔１１７、１２１を貫通する。結果、トップカバー３やレッグパレット２からスリーブ１が脱離することが阻止される。
【００３２】
トップカバー３をスリーブ１から取り外し、またはスリーブ１をレッグパレット２から取り外すためには、後方のロック部材４を前方に移動させ、かつ前方のロック部材４を後方に移動させて、各ロック部材４の先端部をスリーブ１の係合孔１１７、１２１から抜出すればよいことは言うまでもない。
【００３３】
本実施形態のスリーブコンテナＣは、スリーブ１の周壁部１１が構築する前壁の左右の側部１１３の間に、物品を出し入れするための物品出入口を開設しているものである。この物品出入口は、扉部１２により開閉される。物品出入口を閉塞するときの扉部１２は、その下端部をレッグパレット２側のスリーブ保定溝２２に挿入し、その上端部をトップカバー３側のスリーブ保定溝３３に挿入する。
【００３４】
扉部１２の左右両側縁には、物品出入口を閉塞している扉部１２がスリーブコンテナＣの内側即ち後方に倒れ込むことを抑止するためのストッパとなるフレーム１２２を装着している。図８に示すように、フレーム１２２は、扉部１２の外側端縁部をくわえ込んで被覆する平断面視略コ字形のチャネル状をなした基部１２２１の前縁近傍から、係止片１２２２を外側方に向けて延出させた形状をなす。係止片１２２２は、前壁の左右の側部１１３の内側端縁部（に被せているフレーム１１８）に、前方から当接する。
【００３５】
また、周壁部１１が構築する前壁の左右の側部１１３の内側縁にも、扉部１２がスリーブコンテナＣの内側に倒れ込むことを抑止するためのストッパとなるフレーム１１８を装着している。図８に示しているように、フレーム１１８は、前壁の側部１１３の内側端縁部をくわえ込んで被覆する平断面視略コ字形のチャネル状をなした基部１１８１の前縁近傍から、係止片１１８２を内側方に向けて延出させた形状をなす。係止片１１８１は、扉部１２の外側端縁部（に被せているフレーム１２２）に、後方から当接する。
【００３６】
さらに、扉部１２には、物品出入口の開放を抑止する閂として機能する扉ラッチ１２４を設けている。具体的には、図８に示しているように、扉部１２の左右両側縁の近傍における前面側に、扉部１２に対して略直交する軸回りに回転操作可能なノブ１２３を取り付けるとともに、ノブ１２３の軸を扉部１２の後面側に突出させて、その突出端に扉ラッチ１２４の基端部を取り付けてある。扉ラッチ１２４は、扉部１２に対して略平行に伸びる棒状体または板状体であり、略水平姿勢をとるときにその先端部が扉部１２の側縁よりも外側方に飛び出す。扉部１２が物品出入口を閉塞する状態を維持するためには、ノブ１２３とともに扉ラッチ１２４を回転させて扉ラッチ１２４を略水平姿勢とし、その先端部を前壁の側部１１３に後方から当接させればよい。さすれば、扉部１２が前壁の側部１１３に掛け止められる、つまり扉部１２が前壁の側部１１３から離反するように前方に変位することが抑止され、扉部１２が前壁の一部をなすものとなる。
【００３７】
扉部１２には、略水平方向に沿って伸びる開閉用ヒンジ１２５を形成している。図示例では、開閉用ヒンジ１２５の数が一本であるが、開閉用ヒンジ１２５を上下に複数本設けても構わない。開閉用ヒンジ１２５は、扉部１２をスリーブコンテナＣの外側即ち前方に折り曲げるときの折曲稜線となり得る。扉部１２における開閉用ヒンジ１２５の下方の部位には、把手１２６を設けている。
【００３８】
物品出入口を閉塞している扉部１２を変位させて物品出入口を開放する際には、ロック機構による扉部１２に対するロックを解除する。即ち、トップカバー３側の前方のロック部材４を操作し、当該ロック部材４の先端部を扉部１２の上端部の係合孔１２１から抜出するとともに、レッグパレット４側の前方のロック部材４を操作して、当該ロック部材４の先端部を扉部１２の下端部の係合孔１２１から抜出する。加えて、ノブ１２３を回転操作して扉ラッチ１２４を略垂直姿勢とし、扉ラッチ１２４の先端部を扉部１２の側縁よりも内側方に、即ち扉ラッチ１２４を前壁の側部１１３及びフレーム１１８と干渉し合わない位置に退避させる。
【００３９】
その上で、把手１２６に手を掛け、扉部１２における開閉用ヒンジ１２５の下方の部位を前下方に傾倒させるように操作すると、図９に示すように、扉部１２を開閉用ヒンジ１２５に沿って山折りするように、扉部１２を側面視前方に向かって突き出すくの字の形に屈曲ないし湾曲させることができる。扉部１２の上端部とトップカバー３側のスリーブ保定溝３３との間、及び扉部１２の下端部とレッグパレット２側のスリーブ保定溝２２との間には、予めある程度のクリアランスを設けている。そのクリアランスにより、扉部１２を手前側に引き出して屈曲ないし湾曲させ、扉部１２の上端部及び下端部をスリーブ保定溝３３、２２から脱出させる操作が許容される。従って、本スリーブコンテナＣにおいては、トップカバー３を撤去することなしに、つまりはトップカバー３をスリーブ１の周壁部１１から脱離させずとも、スリーブ１の前壁における扉部１２のみを取り外して物品出入口を開放し、物品収容空間に対して必要な物品の出し入れを行うことが可能となっている。
【００４０】
逆に、開放していた物品出入口を扉部１２により閉塞する際には、扉部１２をくの字の形に屈曲ないし湾曲した状態から直立した状態に変形させるように、開閉用ヒンジ１２５の下方の部位を後上方に持ち上げて押し込む操作を行えばよい。その操作の過程で、扉部１２の下端部がレッグパレット２側のスリーブ保定溝２２に挿入され、併せて扉部１２の上端部がトップカバー３側のスリーブ保定溝３３に挿入されて、扉部１２が物品出入口を閉塞する姿勢をとるようになる。扉部１２の上端部とスリーブ保定溝３３との間、扉部１２の下端部とスリーブ保定溝２２との間にそれぞれ設けているクリアランスにより、トップカバー３をスリーブ１の周壁部１１から脱離させずとも、扉部１２を物品出入口を閉塞する位置に取り付けることが可能である。
【００４１】
その後、ノブ１２３を回転操作して扉ラッチ１２４を略水平姿勢とし、扉ラッチ１２４により扉部１２を前壁の側部１１３に掛け止めるようにしてもよいし、トップカバー３及び／またはレッグパレット２に内蔵の前方のロック部材４をスライド操作し、その先端部を係合孔１２１に挿通して扉部１２の上端部及び／または下端部をトップカバー３及び／またはレッグパレット２に繋留してもよい。
【００４２】
本実施形態では、組立時に上下に対向するカバー２、３及びそれらカバー２、３間に配置されるスリーブ１を具備してなり、物品を収容しない非使用時にスリーブ１を略板状体の形状に折り畳み可能であり、折り畳んだスリーブ１をカバー２、３に重ねたときにそのスリーブ１の上下寸法及び左右寸法がカバー２、３の外周壁の内（カバー２、３の内寸）に収まるようなスリーブコンテナＣであって、上下のカバー２、３の周縁部に、スリーブ１の上端部または下端部と係合してスリーブ１を保定するスリーブ保定溝２２、３３を形成しており、スリーブ１に、組立時において上下のカバー２、３を取り付けた状態で開閉自在となる扉部１２を設けているスリーブコンテナＣを構成した。
【００４３】
本実施形態によれば、複数個を段積みして棚、ロッカーまたは倉庫のように利用可能なスリーブコンテナＣが具現される。本スリーブコンテナＣでは、トップカバー３をスリーブ１の周壁部１１に組み付けたままで扉部１２の付け外しができることから、図１０に示すように、複数個のスリーブコンテナＣを上下に積み上げたときに、最上段のコンテナＣは勿論のこと、トップカバー３上に他のコンテナＣが積載されている最上段以外のコンテナＣにおいても、必要に応じて扉部１２を操作して物品出入口を開閉することが可能となる。
【００４４】
スリーブ１の一部をなす扉部１２は、組立時において、その下端部がカバー２のスリーブ保定溝２２に挿入されてこれと係合するとともに、その上端部がカバー３のスリーブ保定溝３３に挿入されてこれと係合する。従って、扉部１２を閉じて物品出入口を閉塞している状態では、扉部１２が（カバー３のそれを含む）上方からの荷重を支えることに寄与し、段積み可能なスリーブコンテナＣの耐荷重を一層向上させる。また、扉部１２を閉じている状態で、下方または上方のカバー２、３と扉部１２との間に隙間を生じず、隙間からの異物の物品収容空間への侵入を抑止できる。しかも、扉部１２の下端部及び上端部をカバー２、３に繋留するロック機構の存在により、これらの効用がより増進される。
【００４５】
扉部１２の上下寸法及び物品出入口の上下寸法は、それぞれ上下のカバー２、３の離間距離に匹敵している。扉部１２を開いたとき、上下のカバー２、３間にある物品出入口をその上下幅の半分を超えて大きく開放することができ、さらには、扉部１２の上下両端部をカバー２、３から脱離させて物品出入口の全体を開放することもできる。扉部１２をコンテナＣから撤去したとしても、スリーブ１の周壁部１１が物品収容空間を包囲しつつ（カバー３のそれを含む）上方からの荷重を支持してコンテナＣとしての構造を維持する。
【００４６】
扉部１２は、当該スリーブコンテナＣ内の収容容積を損なうことなく開閉が可能である。特に、本実施形態にあっては、組立時に扉部１２が当該スリーブコンテナＣの外側に向かって山折り可能となるように、扉部１２に略水平方向に伸びるヒンジ１２５を形成している。図１０に示しているように、扉部１２は、物品出入口を開閉する過程において、前壁の側部１１３よりも後方に倒れ込むことがない、即ち物品収容空間内に侵入することがない。換言すれば、物品出入口を開閉する際の扉部１２の軌跡が、物品収容空間と交差することがない。従って、扉部１２が物品収容空間内に収容している物品と干渉することはなく、物品収容空間の容積の全体を収納のために活用することが可能となる。
【００４７】
加えて、本実施形態では、スリーブ１の周壁部１１により構築される前壁の側部１１３、及び扉部１２の各々に、組立時において扉部１２が当該スリーブコンテナＣの内側に向かって倒れ込まないよう扉部１２を支持するストッパ１１８、１２２を設けている。さらには、上下のカバー２、３に設けているロック機構のロック部材４（の先端部）もまた、扉部１２が当該スリーブコンテナＣの内側に向かって倒れ込まないよう扉部１２を支持するストッパとして機能する。このため、不意に扉部１２が倒れて収容した物品と干渉したり、スリーブ１の前壁における側部１１３と扉部１２との間に隙間が形成されて物品の汚損や劣化等を招いたりすることを効果的に抑止できる。
【００４８】
スリーブ１の下方に配置されるカバー２に、当該カバー２の他の部位の下縁よりも下方に突出する脚部２１を設け、スリーブ１の上方に配置されるカバー３に、前記脚部２１を直接に載置可能な載置面部３２を設けているため、物品を収容した状態で複数個を段積みするのに適したスリーブコンテナＣとなるだけでなく、カバー２下にフォークを差し入れるための空隙を形成することができ、フォークリフトによるスリーブコンテナＣの運搬にも有利となる。
【００４９】
なお、本発明は以上に詳述した実施形態に限られるものではない。例えば、上記実施形態では、スリーブ１における周壁部１１の前壁の側部１１３の下端縁と扉部１２の下端縁との間に段差を設け、かつこれらを受け容れるスリーブ保定溝２２に底の深い部位２２１と底の浅い部位２２２とを成形していたが、前壁の側部１１３の下端縁と扉部１２の下端縁との間の段差をなくし（前壁の側部１１３の下方の突片１１６を削除して両者を同等の高さ位置とし）、これらを受け容れるスリーブ保定溝２２の底（の上向面）を平坦にしてもよい。
【００５０】
上記実施形態では、複数個のスリーブコンテナＣを段積みするに際して、下段のコンテナＣのカバー３の載置面部３２の上に上段のコンテナＣのカバー２の脚部２１を直接載置していたが、上段のコンテナＣの下に既存のパレットその他の部材を敷き、そのパレット等とともに上段のコンテナＣを下段のコンテナＣの上に積むようにしても構わない。この場合には、上段のコンテナＣのカバー２と、下段のコンテナＣのカバー３との間に、パレット等の他の部材が介在することになる。また、この場合、スリーブコンテナＣにおける下方のカバー２に突出した脚部２１を設けず、かつスリーブ１に突片１１６を設けないようにしてもよい。上方のカバー３１の係合突起３１を削除することも考えられる。
【００５１】
スリーブ１に突片１１６を設けず、スリーブ１の下端縁が全周に亘って平坦となる場合には、スリーブ保定溝２２の底も全周に亘って平坦となることが好ましい。
【００５２】
その他、各部の具体的構成は、本発明の趣旨を逸脱しない範囲で種々変形が可能である。
【符号の説明】
【００５３】
Ｃ…スリーブコンテナ
１…スリーブ
１１８…ストッパ（フレーム）
１２…扉部
１２２…ストッパ（フレーム）
１２５…ヒンジ（開閉用ヒンジ）
２、３…カバー
２２、３３…スリーブ保定溝
４…ストッパ（ロック部材）
【図１】
0006782534.tif 000002
【図２】
0006782534.tif 000003
【図３】
0006782534.tif 000004
【図４】
0006782534.tif 000005
【図５】
0006782534.tif 000006
【図６】
0006782534.tif 000007
【図７】
0006782534.tif 000008
【図８】
0006782534.tif 000009
【図９】
0006782534.tif 000010
【図１０】
0006782534.tif 000011
【図１１】
0006782534.tif 000012
【図１２】
0006782534.tif 000013